(57)【特許請求の範囲】
【請求項１】
ＷＴＲＵ(wireless transmit receive unit)におけるフィードバックの方法であって、
フィードバックビットの数を判定することであって、前記フィードバックビットは少なくとも１つのＰＭＩ(precoding matrix index)を含むこと、
少なくとも１つのＥＣ(error check)ビットを前記フィードバックビットに結合すること、
第１のチャネル符号化スキームを前記フィードバックビットおよび前記少なくとも１つのＥＣビットに適用することであって、前記第１のチャネル符号化スキームは、前記フィードバックビットの数に基づいて選択されること、および
前記フィードバックビットおよび前記少なくとも１つのＥＣビットをデータタイプのチャネルを介して送信すること
を備えることを特徴とする方法。
【請求項２】
複数のＰＭＩを複数のＰＭＩグループにグループ化することをさらに備えることを特徴とする請求項１に記載の方法。
【請求項３】
第２のチャネル符号化スキームをユーザデータビットに適用することをさらに備え、
前記フィードバックビットおよび前記少なくとも１つのＥＣビットを前記データタイプのチャネルを介して送信することは、前記フィードバックビットおよび前記少なくとも１つのＥＣビットを前記ユーザデータビットとともに前記データタイプのチャネルを介して送信することを含むことを特徴とする請求項１に記載の方法。
【請求項４】
前記少なくとも１つのＥＣビットは、少なくとも１つのＣＲＣ(cyclic redundancy check)ビットであることを特徴とする請求項１に記載の方法。
【請求項５】
前記第１のチャネル符号化スキームは、畳み込み符号化であるように選択されることを特徴とする請求項３に記載の方法。
【請求項６】
前記フィードバックビットおよび前記少なくとも１つのＥＣビットは、前記ユーザデータビットとともに同じＴＴＩ(transmission time interval)において送信されることを特徴とする請求項３に記載の方法。
【請求項７】
前記第２のチャネル符号化スキームは、ターボ符号化であることを特徴とする請求項５に記載の方法。
【請求項８】
前記フィードバックビットは、前記少なくとも１つのＰＭＩおよび少なくとも１つのＣＱＩ(channel quality index)で構成されることを特徴とする請求項１に記載の方法。
【請求項９】
前記データタイプチャネルは、ＰＵＳＣＨ(physical uplink shared channel)であることを特徴とする請求項１に記載の方法。
【請求項１０】
ランク表示を前記フィードバックビットとともに送信することをさらに備えることを特徴とする請求項１に記載の方法。
【請求項１１】
前記フィードバックビットは、少なくとも１つのＣＱＩ(channel quality index)をさらに含むことを特徴とする請求項１に記載の方法。
【請求項１２】
ＡＣＫ／ＮＡＣＫ(acknowledge/non-acknowledge)は、前記フィードバックとともに送信されることを特徴とする請求項１に記載の方法。
【請求項１３】
ＷＴＲＵ(wireless transmit/receive unit)であって、
フィードバックビットの数を判定することであって、前記フィードバックビットは少なくとも１つのＰＭＩ(precoding matrix index)を含み、
少なくとも１つのＥＣ(error check)ビットを前記フィードバックビットに結合し、および
第１のチャネル符号化スキームを前記フィードバックビットおよび前記少なくとも１つのＥＣビットに適用することであって、前記第１のチャネル符号化スキームは、フィードバックビットの前記数に基づいて選択されるように構成されたプロセッサと、
前記フィードバックビットおよび前記少なくとも１つのＥＣビットをデータタイプのチャネルを介して送信するように構成された送信器と
を備えることを特徴とするＷＴＲＵ。
【請求項１４】
前記プロセッサは、複数のＰＭＩを複数のＰＭＩグループにグループ化するようにさらに構成されることを特徴とする請求項１３に記載のＷＴＲＵ。
【請求項１５】
前記プロセッサは 第２のチャネル符号化スキームをユーザデータビットに適用するようにさらに構成されており、
前記送信機は、前記フィードバックビットおよび前記少なくとも１つのＥＣビットを前記ユーザデータビットとともに前記データタイプのチャネルを介して送信することにより、前記フィードバックビットおよび前記少なくとも１つのＥＣビットを前記データタイプのチャネルを介して送信するように構成されることを特徴とする請求項１３に記載のＷＴＲＵ。
【請求項１６】
前記少なくとも１つのＥＣビットは、少なくとも１つのＣＲＣ(cyclic redundancy check)ビットであることを特徴とする請求項１３に記載のＷＴＲＵ。
【請求項１７】
前記第１のチャネル符号化スキームは、畳み込み符号化であることを特徴とする請求項１５に記載のＷＴＲＵ。
【請求項１８】
前記プロセッサは、前記フィードバックビットおよび前記少なくとも１つのＥＣビットを、前記ユーザデータビットとともに同じＴＴＩ(transmission time interval)において送信するように構成されることを特徴とする請求項１５に記載のＷＴＲＵ。
【請求項１９】
前記第２のチャネル符号化スキームは、ターボ符号化であることを特徴とする請求項１７に記載のＷＴＲＵ。
【請求項２０】
前記フィードバックビットは、前記少なくとも１つのＰＭＩおよび少なくとも１つのＣＱＩ(channel quality index)で構成されることを特徴とする請求項１３に記載のＷＴＲＵ。
【請求項２１】
前記データタイプのチャネルは、ＰＵＳＣＨ(physical uplink shared channel)であることを特徴とする請求項１３に記載のＷＴＲＵ。
【請求項２２】
前記送信機は、ランク表示を前記フィードバックビットとともに送信するようにさらに構成されることを特徴とする請求項１３に記載のＷＴＲＵ。
【請求項２３】
前記フィードバックビットは、少なくとも１つのＣＱＩ(channel quality index)をさらに含むことを特徴とする請求項１３に記載のＷＴＲＵ。
【請求項２４】
前記送信機は、ＡＣＫ／ＮＡＣＫ(acknowledge/non-acknowledge)を、前記フィードバックとともに送信するようにさらに構成されることを特徴とする請求項１３に記載のＷＴＲＵ。
【発明の詳細な説明】
【技術分野】
【０００１】
本願は、無線通信に関する。
【背景技術】
【０００２】
３ＧＰＰ(Third Generation Partnership Project)ＬＴＥ(Long Term Evolution)プログラムの目的は、スペクトル効率を改善し、待ち時間を短縮し、無線リソースを有効に利用して、高速化したユーザ体験と豊富なアプリケーションを提供し、サービスをユーザに低コストで提供するために、無線通信システムにおける設定および構成を行う新しい技術、新しいアーキテクチャ、および新しい方法を開発することである。
【０００３】
無線通信システムは、通常、アップリンクおよびダウンリンクの通信を可能にするためのフィードバックシグナリングを要求する。例えば、ＨＡＲＱ(hybrid automatic retransmission request)を可能にするためには、ＡＣＫ／ＮＡＣＫ(acknowledge/non-acknowledge)フィードバックを要求する。ＡＭＣ(adaptive modulation and coding)は、受信器からのＣＱＩ(channel quality index)フィードバックを要求する。ＭＩＭＯ(Multiple Input/Multiple Output)システムまたは前置符号化は、ランクおよび／または受信器からのＰＭＩ(precoding matrix Index)フィードバックを要求する。典型的には、この種類のフィードバックシグナリングは、符号化によって保護されているので、フィードバックシグナリングは、誤り検査(error checking)または誤り検出機能(error detection)を有していない。しかしながら、有効なシグナリングは、進化したＵＭＴＳ(universal mobile telephone system)Ｅ−ＵＴＲＡＮ(terrestrial radio access network)にとって不可欠である。ＥＣ(error check)および誤り検出機能をフィードバック制御シグナリングに付加することは、より進化したアプリケーションを可能にする。ＥＣ(error check)および誤り検出機能は、進化したシグナリングスキーマ、進化したＭＩＭＯのリンク性能、システムオーバーヘッドの減少、およびシステム機能の増大を可能にする。
【０００４】
フィードバック制御シグナリングの誤り検出および誤り検査機能を要求するアプリケーションの例は、前置符号化情報の検証である。前置符号化情報の検証を用いて、ノードＢにおいて使用される前置符号化情報についてＷＴＲＵに通知して、ＷＴＲＵによって示される前置符号化の効果を含む効率のよいチャネルを、ＷＴＲＵによって再構成することができる。これには、前置符号化、ビーム形成などを使用したＭＩＭＯシステムの正確なデータ検出が要求される。
【０００５】
ＷＴＲＵ(wireless transmit receive unit)は、ＰＭＩ(precoding matrix index)またはアンテナ重み付け値をＢＳ(base station)またはｅＮＢ(Node B)にフィードバックできる。ｅＮＢにおいて使用される前置符号化行列をＷＴＲＵに通知するために、ｅＮＢは、検証メッセージをＷＴＲＵに送信することができる。ＷＴＲＵがｅＮＢへのフィードバックとして信号を送る各行列は、ＰＭＩ＿ｊ１、ＰＭＩ＿ｊ２、・・・ＰＭＩ＿ｊＮで表示され、Ｎはマトリクスの総数に等しい整数値とすることができる。ｅＮＢは、ＰＭＩ＿ｋ１、ＰＭＩ＿ｋ２、・・・ＰＭＩ＿ｋＮで表示されたＮ  ＰＭＩについての情報を含む検証メッセージをＷＴＲＵに送信することができる。
【０００６】
各ＰＭＩは、Ｌビットで表示される。Ｌの値は、ＭＩＭＯ(multiple input/multiple output)のアンテナ構成およびコードブックサイズによって決まる。
【０００７】
通信リソースを、ＷＴＲＵに割り当てることができる。ＲＢ(resource block)は、Ｍサブキャリアで構成され、例えば、Ｍ＝１２で、Ｍは正の整数である。ＲＢＧ(resource block group)またはサブバンドは、Ｎ＿ＲＢ  ＲＢｓを含み、Ｎ＿ＲＢは、例えば、２、４、５、６、１０、２５以上に等しい。システムの帯域は、帯域のサイズ、およびＲＢＧまたはサブバンド当たりのＮ＿ＲＢ値によって決まる、１または複数のＲＢＧまたはサブバンドを有することができる。
【０００８】
ＷＴＲＵは、ＲＢＧまたはサブバンドを構成する各々のＲＢＧまたはサブバンドごとに１つのＰＭＩをフィードバックすることができる。用語ＲＢＧおよびサブバンドは、互いに使用できる。Ｎ≦Ｎ＿ＲＧＢのＮ  ＲＢＧを、フィードバックおよび報知する目的でＷＴＲＵに構成されるまたはＷＴＲＵによって選択することができる。Ｎ  ＲＢＧまたはサブバンドがＷＴＲＵに構成されるまたはＷＴＲＵによって選択される場合、ＷＴＲＵは、Ｎ  ＰＭＩをｅＮＢにフィードバックする。ｅＮＢは、Ｎ  ＰＭＩで構成される検証メッセージをＷＴＲＵに送信することができる。
【０００９】
Ｎ＿ＰＭＩを、ＰＭＩを表すビット数にする。ＷＴＲＵ  ＰＭＩフィードバックのビット総数は、Ｎ×Ｎ＿ＰＭＩである。ＷＴＲＵ  ＰＭＩフィードバックのビット最大数は、フィードバックインスタンス当たりＮ＿ＲＢＧ×Ｎ＿ＰＭＩビットである。直接前置符号化検証スキーマが使用される場合、ＰＭＩ検証メッセージの最大ビット数は、検証メッセージ当たりＮ＿ＲＢＧ×Ｎ＿ＰＭＩビットである。
【００１０】
表１は、Ｎ＿ＰＭＩ＝５ビットと仮定した、ＷＴＲＵ  ＰＭＩのフィードバックおよびシグナリングのビット数を示す。数値は、５ＭＨｚ、１０ＭＨｚ、および２０ＭＨｚ帯域にまとめられる。２行目の、Ｎ＿ＲＢは、ＲＢＧまたはサブバンド当たりのＲＢ数であり、２０ＭＨｚでは２から１００までの範囲である。３行目の、帯域当たりのＮ＿ＲＢＧは、５ＭＨｚ、１０ＭＨｚ、または２０ＭＨｚ当たりのＲＢＧまたはサブバンドの数値である。Ｎ＿ＲＢＧの値は、１から５０までの範囲である。４行目は、フィードバックインスタンス当たりのＷＴＲＵ  ＰＭＩフィードバックシグナリングに使用されるビットの総数である。これは、周波数選択性前置符号化フィードバックまたは複合ＰＭＩフィードバックを対象としている。
【００１１】
【表１】
0005513663.tif 000002
【００１２】
上記の表に示したように、ＰＭＩフィードバックおよびＰＭＩ検証は、フィードバックインスタンス当たりおよび検証メッセージ当たり２５０ビット以上を要求する。
【００１３】
フィードバックエラーは、リンクおよびシステムの性能を著しく低下させる。フィードバックが誤り検査（例えば、チャネル符号化）を用いて保護されることが望ましい。さらに、フィードバックシグナリングに誤りがあるかどうかを認識することは、誤ったフィードバック情報を避けることができるので、リンク性能などのシステム性能を向上させる。さらに、フィードバックシグナリングに誤りがあるかどうかを認識することは、符号化確認およびスキーマ表示などの進化したシグナリングスキーマおよびアプリケーションの使用を可能にする。前置符号化確認を送信して、フィードバックシグナリングに誤りがないかどうかについて、フィードバックシグナリングの正確さを確認することができる。
【００１４】
単一ビットまたは連続ビットは、前置符号化の確認（confirmation）に使用することができ、一部のアプリケーションにとって十分である。確認を用いた前置符号化検証などの進化したシグナリングの使用は、シグナリングオーバーヘッドを著しく減少させる。従って、誤り検査および誤り検出が望ましい。
【発明の概要】
【００１５】
無線通信システムにおけるフィードバックタイプのシグナリング誤り検査、誤り検出、および誤り防御の方法および装置が開示される。フィードバックタイプのシグナリングは、ＣＱＩ(channel quality index)、ＰＭＩ(precoding matrix index)、ランクおよび／またはＡＣＫ／ＮＡＣＫ(acknowledge/non-acknowledge)を含むことができる。本開示は、ＰＭＩの提供、ＥＣ(error check)ビットの生成、ＰＭＩおよびＥＣビットの符号化、および符号化されたＰＭＩおよびＥＣビットの送信を含む方法を行うＷＴＲＵ(wireless transmit receive unit)を含む。その方法は、ＣＱＩ、ランク、ＡＣＫ／ＮＡＣＫなどの他のフィードバック情報に適用できる。
【図面の簡単な説明】
【００１６】
より詳細な理解は、一例として添付図とともに与えられた以下の説明から得ることができる。
【図１】複数のＷＴＲＵおよびｅＮＢを含む無線通信システムを示す図である。
【図２】図１の無線通信システムのＷＴＲＵおよびｅＮＢの機能的ブロック図である。
【図３】一実施形態にかかる、誤り検査および誤り訂正を用いたＰＭＩフィードバックのブロック図である。
【図４】別の実施形態にかかる、誤り検査および誤り訂正を用いたＰＭＩフィードバックのブロック図である。
【図５】代替的実施形態にかかる、誤り検査および誤り訂正を用いたＰＭＩフィードバックのブロック図である。
【図６】別の代替的実施形態にかかる、誤り検査および誤り訂正を用いたＰＭＩフィードバックのブロック図である。
【図７】さらに別の代替的実施形態にかかる、誤り検査および誤り訂正を用いたＰＭＩフィードバックのブロック図である。
【図８】さらに別の代替的実施形態にかかる、誤り検査および誤り訂正を用いたＰＭＩフィードバックのブロック図である。
【図９】さらに別の代替的実施形態にかかる、誤り検査および誤り訂正を用いたＰＭＩおよびＣＱＩのフィードバックのブロック図である。
【図１０】さらに別の代替的実施形態にかかる、誤り検査および誤り訂正を用いたＰＭＩおよびＣＱＩのフィードバックのブロック図である。
【図１１】さらに別の代替的実施形態にかかる、誤り検査および誤り訂正を用いたＰＭＩ、ＣＱＩおよびＡＣＫ／ＮＡＣＫのフィードバックのブロック図である。
【図１２】さらに別の代替的実施形態にかかる、誤り検査および誤り訂正を用いたＰＭＩ、ＣＱＩおよびＡＣＫ／ＮＡＣＫのフィードバックのブロック図である。
【発明を実施するための形態】
【００１７】
以下を参照する場合、用語「ＷＴＲＵ(wireless transmit/receive unit)」は、ＵＥ(user equipment)、移動局、固定式または移動式の加入者装置、ポケットベル、携帯電話機、ＰＤＡ(personal digital assistant)、コンピュータ、または無線環境において動作できる任意の他の種類のユーザ装置を含むが、これに限らない。以下を参照する場合、用語「基地局」は、ノードＢ、サイトコントローラ、ＡＰ(access point)、または無線環境において動作できる任意の他の種類のインタフェース装置を含むが、これに限らない。
【００１８】
図１に、複数のＷＴＲＵ１１０および１つのｅＮＢ１２０を含む無線通信システム１００を示す。図１に示したように、ＷＴＲＵ１１０は、ｅＮＢ１２０との通信を行う。図１に３つのＷＴＲＵ１１０および１つのｅＮＢ１２０を示すが、無線通信システム１００において、無線装置と有線装置との任意の組み合わせを含むことができることに留意されたい。
【００１９】
図２は、図１の無線通信システム１００のＷＴＲＵ１１０およびｅＮＢ１２０の機能的ブロック図２００である。図２に示したように、ＷＴＲＵ１１０は、ｅＮＢ１２０との通信を行う。ＷＴＲＵ１１０は、フィードバック信号および制御信号をｅＮＢ１２０に送信するように構成される。ＷＴＲＵはまた、ｅＮＢからフィードバック信号および制御信号を受信して、ｅＮＢに送信するように構成される。ｅＮＢとＷＴＲＵの両方は、変調されて符号された信号を処理するように構成される。
【００２０】
典型的なＷＴＲＵに見られるコンポーネントに加えて、ＷＴＲＵ１１０は、プロセッサ２１５、受信器２１６、送信器２１７、およびアンテナ２１８を含む。受信器２１６および送信器２１７は、プロセッサ２１５との通信を行う。アンテナ２１８は、受信器２１６と送信器２１７の両方との通信を行って、無線データの送受信を容易にする。
【００２１】
典型的なｅＮＢに見られるコンポーネントに加えて、ｅＮＢ１２０は、プロセッサ２２５、受信器２２６、送信器２２７、およびアンテナ２２８を含む。受信器２２６および送信器２２７は、プロセッサ２２５との通信を行う。アンテナ２２８は、受信器２２６と送信器２２７の両方との通信を行って、無線データの送受信を容易にする。
【００２２】
ＷＴＲＵは、フィードバック信号（例えば、ＰＭＩフィードバック）をｅＮＢに送信することができる。ＥＣ(error check)（例えば、ＣＲＣ(Cyclic Redundancy Check)）ビットを、フィードバック信号（例えば、ＰＭＩフィードバック）に結合することができる。フィードバック信号（例えば、ＰＭＩ）とＥＣビットの両方を、送信する前に符号化することができる。フィードバック信号は、ＰＭＩ、ＣＱＩ、ランク、ＡＣＫ／ＮＡＣＫまたは他の種類のフィードバック信号を含むことができる。本開示がＰＭＩビット、ＣＱＩビット、ＥＣビットなどを参照する一方で、当業者は、ＰＭＩフィードバック、ＣＱＩフィードバック、および誤り検査および誤り訂正は、ほとんどの場合、複合ビットとすることができることを当業者は認知できる。ＰＭＩまたはＣＱＩなどのフィードバック信号が例示として用いられるが、他の種類のフィードバック信号も使用できる。
【００２３】
異なるタイプのチャネルを、フィードバックタイプの信号を送信して運ぶために使用できる。例えば、制御タイプのチャネルとデータタイプのチャネルの両方を使用して、フィードバックタイプの信号を運ぶことができる。制御タイプのチャネルの例は、ＰＵＣＣＨ(physical uplink control channel)である。データタイプのチャネルの例は、ＰＵＳＣＨ(physical uplink shared channel)である。しかしながら、当業者は、本明細書に開示される方法および装置がチャネルの選択に左右されないことを認知する。
【００２４】
ＰＭＩおよびＥＣビットを、データビットの有無にかかわらず互いに符号化することができる。データタイプのチャネルと制御タイプのチャネルの両方を使用して、フィードバック信号およびＥＣビットを送信することができる。例えば、データタイプのチャネル（例えば、ＰＵＳＣＨ(physical uplink shared channel)）を使用して、ＰＭＩおよびＥＣビットを送信することができる。制御タイプのチャネル（例えば、ＰＵＣＣＨ(physical uplink control channel)）を使用して、ＰＭＩおよびＥＣビットを送信することもできる。
【００２５】
あるいは、ＰＭＩおよびＥＣビットは、１番目の符号化スキーマを用いて符号化でき、データビットは、２番目の符号化スキーマを用いて符号化できる。それぞれの符号化スキーマは、異なってよい。例えば、畳み込み符号化またはリードミュラー符号化は、フィードバックタイプの信号に使用でき、ターボ符号化は、データタイプの信号に使用できる。あるいは、符号化スキーマを同じにすることができるが、異なるパラメータおよびフィードバックタイプの信号とデータタイプの信号に対して異なる誤り率要求の設定を用いることができる。データタイプのチャネル（例えば、ＰＵＳＣＨ）を使用して、ＰＭＩおよびＥＣビットを送信することができる。制御タイプのチャネル（例えば、ＰＵＣＣＨ）を使用して、ＰＭＩおよびＥＣビットを送信することもできる。
【００２６】
グループ化がフィードバックタイプのシグナリングに使用される場合、ＰＭＩおよびＥＣビットをグループごとに別々に符号化することができる。
【００２７】
すべてのＰＭＩおよび／またはＥＣビットを、同時にフィードバックまたは報知（report）することができる。例えば、すべてのＰＭＩおよび／またはＥＣビットを、同じＴＴＩ(transmission time interval)において報知することができる。あるいは、フィードバックタイプのビットおよび誤り検査ビットは、異なる時間に報知できる。例えば、ＰＭＩおよび／またはＥＣビットを、グループに分割することができ、異なるＴＴＩにおいて報知することができる。
【００２８】
例えば、ＣＲＣ(cyclic redundancy check)などの、誤り検査および誤り検出方法を使用できる。ＣＲＣが使用される場合、例えば、２４ビットＣＲＣまたは１６ビットＣＲＣとすることができる。ＣＲＣのビット長は、さまざまにでき、使用される実際のビット長は、設計上の選択によって異なる。
【００２９】
ＣＲＣビットをフィードバックタイプの信号に結合し、データタイプのチャネル上で送信し、フィードバックタイプの信号ビットおよびＣＲＣビットを運ぶことができる。フィードバックタイプの信号は、例えば、ＰＭＩ、ＣＱＩ、ランクまたはＡＣＫ／ＮＡＣＫとすることができる。データタイプのチャネルは、例えば、ＰＵＳＣＨとすることができる。データタイプのチャネルは、大容量を有し、比較的多数のビットに対応することができる。従って、ＣＲＣは、例えば、２４ビットＣＲＣ、１６ビットＣＲＣまたは他のビット長のＣＲＣとすることができる。長いビット長のＣＲＣを使用するのは、より良い誤り検査を提供するのに好適である。このことは、ＣＲＣビットの付加が原因の付加的オーバーヘッドを加えることがあるが、ＰＵＳＣＨは、多数のビットを処理するための容量を有することができる。ＰＵＳＣＨなどのデータチャネルを使用して、単一のＴＴＩにおいてＰＭＩ、ＣＱＩ、ランクおよびＡＣＫ／ＮＡＣＫなどのフィードバック信号の送信が可能になる。従って、より良い誤り検査機能を提供する、長いビット長のＣＲＣを用いたフィードバックタイプの信号を実装することができる。
【００３０】
あるいは、ＣＲＣビットをフィードバックタイプの信号に結合して、制御タイプのチャネル上で送信できる。ＣＲＣは、２４ビットＣＲＣ、１６ビットＣＲＣまたは他のビット長のＣＲＣとすることができる。典型的には、制御タイプのチャネルは、多数のビットを運ぶための大容量を有しない。ＣＲＣビットおよびフィードバックタイプの信号を送信するために、送信を分割して、複数回送信できる。ＰＭＩフィードバック信号を分割して、複数のＴＴＩにおいて送信することができる。例えば、すべてのフィードバック信号が送信されるまで、１つのＰＭＩを各ＴＴＩにおいて送信することができる。ＣＱＩまたは他のフィードバック信号は、同じ方法で処理することができる。
【００３１】
ＰＭＩ、ＣＱＩおよび／または他のフィードバックタイプの信号は、異なる時間または異なるＴＴＩに別々に送信することができる。一般的に、制御タイプのチャネル（例えば、ＰＵＣＣＨ）は、毎回多数のビットを運ぶことができないので、送信する必要のある多数のフィードバックビットがある場合、フィードバックビットは、グループに分けるまたは分割することができる。各グループを、１つずつ報知することができる。各フィードバックインスタンスは、単一ＰＭＩ、ＣＱＩ、他のフィードバック信号、またはフィードバック信号の組み合わせを含むことができる。ＣＲＣを、（同じＴＴＩにおいて）ＰＭＩまたはＣＱＩと同時にフィードバックまたは送信することができる。あるいは、ＣＲＣは、ＰＭＩまたはＣＱＩとは別にフィードバックまたは送信することができる。つまり、ＣＲＣを、ＰＭＩまたはＣＱＩが送信される時間またはＴＴＩとは異なる時間または異なるＴＴＩにおいて送信することができる。ＣＲＣは、セグメントまたはグループに分けることもでき、各ＣＲＣセグメントを、同じ時間または同じＴＴＩにおいてフィードバック信号を用いて送信またはフィードバックすることができる。各ＣＲＣセグメントを、異なる時間または異なるＴＴＩにおいて送信することもできる。
【００３２】
フィードバック信号に結合されたＣＲＣを使用して、１つのＰＭＩおよび／または１つのＣＱＩなどの単一のフィードバック信号に適用させることができる。この単一のフィードバックスキーマは、周波数選択性ではないフィードバックまたは広帯域フィードバック（全帯域当たりまたは構成された全帯域当たり１フィードバック）が用いられた場合に使用することができる。
【００３３】
例えば、（シングルビットのパリティチェックを含む）パリティチェックまたはブロックパリティチェックなどの他の誤り検査または誤り検出方法も使用してよい。本明細書の開示は、当業者によって認知されるように、どれか１つの特定の誤り検査スキーマに限定されない。
【００３４】
例えば、畳み込み符号化、リードソロモン符号化またはリードミュラー符号化などの符号化スキーマを使用してよい。例えば、ターボ符号化およびＬＤＰＣ(low density parity check)符号などの他の符号化スキーマも考慮してよい。フィードバックがデータタイプのチャネル（例えば、ＰＵＳＣＨ(physical uplink shared channel)）によって送信される場合、データタイプのチャネル（例えば、ＰＵＳＣＨ）が多数のビットの送信を可能にするため、畳み込み符号化またはブロック符号化が適している。リードミュラー符号化またはリードソロモン符号化も、これらの符号化スキーマによって適度な数のビットを符号化するのでそれに適している。本明細書の開示は、当業者によって認知されるように、どれか１つの特定の符号化スキーマに限定されない。
【００３５】
図３は、一実施形態にかかる、誤り検査および誤り訂正を用いたＰＭＩフィードバックのブロック図３００である。ＰＭＩ＿１  ３０２、ＰＭＩ＿２  ３０４、ＰＭＩ＿３  ３０６からＰＭＩ＿Ｎ-１  ３０８までおよびＰＭＩ＿Ｎ  ３１０などで構成された複数のＰＭＩを図３に示す。ＥＣビット３１２は、ＰＭＩ信号３１６に結合される。ＥＣビット３１２は、２４ビット長、２０ビット長または１６ビット長のＣＲＣとすることができる。ＣＲＣの他のビット長も使用されてよい。ＰＭＩビット（３０２−３１０）およびＥＣビット３１２は、送信する前にチャネル符号化機能３１４によって符号化される。チャネルの符号化は、すべてのＰＭＩおよびＥＣに対して一緒に行うことができる。一緒に符号化されたＰＭＩおよびＥＣを、同時にまたは同じＴＴＩにおいて送信することができる。一緒に符号化されたＰＭＩおよびＥＣを、異なる時間または異なるＴＴＩにおいて送信することができる。あるいは、チャネルの符号化は、ＰＭＩおよびＥＣごとか、またはＰＭＩおよびＥＣのグループごとに別々に行うことができる。ＥＣビットは、セグメントに分けることができ、ＥＣビットの各セグメントは、チャネルを別々に符号化し、送信することができる。
【００３６】
例えば、整数「Ｎ」のＰＭＩがある場合、例えば、２４ビットＣＲＣを使用すると、各ＰＭＩは、４ビットになり、各ＥＣは、２４ビットになる。ビット総数は、４Ｎ＋２４ビットになる。ビットの総数を、（例えば、畳み込み符号化などの）チャネルの符号化を使用して一緒に符号化することができる。符号化されたビットを、単一のＴＴＩにおいて一度に送信またはフィードバックすることができる。符号化されたビットの総数も、いくつかの異なる時間、または異なるＴＴＩにおいて送信またはフィードバックすることができる。例えば、符号化されたビットを、整数「Ｍ」の回数でＭ異なるＴＴＩにおいて送信できる。各ＴＴＩは、（４Ｎ＋２４）／Ｍの元の情報とＣＲＣビットとを送信してよい。各ＴＴＩにおける（４Ｎ＋２４）／Ｍの元の情報およびＣＲＣビットは、ＰＭＩビットおよび／またはＣＲＣビットを含んでよい。ＴＴＩがＰＭＩビットとＣＲＣビットの組み合わせを含む場合、４Ｎ／Ｍ  ＰＭＩビットおよび２４／Ｍ  ＣＲＣビットは、単一のＴＴＩに含まれてよい。Ｍ＝Ｎの場合、４ＰＭＩビットおよびＣＲＣビットの端数の部分を、単一のＴＴＩにおいて送信することができる。
【００３７】
あるいは、２４ビットＣＲＣは、６つのセグメントに分けられ、各セグメントが４ビットを有し、ＰＭＩ内と同数のビットとすることができる。各ＰＭＩと各ＣＲＣセグメントを、ＴＴＩにおいて、別々にまたは一緒に符号化して送信することができる。
【００３８】
ＥＣビット３１２は、例えば、ＣＲＣとすることができる。チャネル符号化機能３１４は、例えば、畳み込み符号化とすることができる。パリティチェックなどの誤り検査および誤り検出方法も使用することができ、例えば、リードミュラー符号化またはリードソロモン符号化などの他のチャネル符号化方法も使用することができる。
【００３９】
各ＰＭＩは、サブバンド、ＲＧＢ、サブバンドのグループまたは広帯域のグループについての前置符号化情報を表すことができる。例えば、ＰＭＩ＿１は、広帯域ＰＭＩ（全帯域の「平均的な」前置符号化情報）とすることができ、ＰＭＩ＿２からＰＭＩ＿Ｎまでは、各ＰＭＩがサブバンド、およびＲＢＧ、またはサブバンドのグループの前置符号化情報に対応する、サブバンドＰＭＩまたは平均化されたＰＭＩとすることができる。
【００４０】
同様にＣＱＩおよび他のフィードバックタイプの信号を、これまで説明されたように、誤り検査機能を用いて、ＣＲＣの結合、チャネルの符号化および送信によって付加することができる。
【００４１】
ＰＭＩフィードバックシグナリングと、ＰＭＩのグループごとに別々にした誤り検査とを組み合わせてグループにすることができる。ＥＣビットを、チャネルの符号化の前にＰＭＩの各グループに結合することができる。
【００４２】
図４は、別の実施形態にかかる、誤り検査および誤り検出を用いたＰＭＩフィードバックのブロック図４００であり、ＰＭＩ＿１  ４０２、ＰＭＩ＿２  ４０４、およびＰＭＩ＿３  ４０６が一緒にグループ化されて、１番目の誤り検査ＥＣ（１）４０８が結合される。ＰＭＩ＿４  ４１０、ＰＭＩ＿５  ４１２、およびＰＭＩ＿６  ４１４が一緒にグループ化されて、ＥＣ（２）４１６に結合される。ＰＭＩ＿Ｎ−２  ４１８、ＰＭＩ＿Ｎ−１  ４２０、およびＰＭＩ＿Ｎ  ４２２が一緒にグループ化されて、ＥＣ（Ｇ）４２４に結合される。ＰＭＩ（４２０−４０６、４１０−４１４、４１８−４２２）およびＥＣ４０８、４１６、４２４が、チャネル符号化機能４２６によって符号化される。
【００４３】
前述のように、ＥＣは、ＣＲＣとすることができる。誤り検査、誤り検出および誤り訂正の方法は、符号化されるビット総数に基づいて選択できる。例えば、ＥＣは、短いまたは長いビット長のＣＲＣ、単一パリティビットまたはブロックパリティチェックビットを使用できる。例えば、進化したパリティチェックなどの他の誤り検査、誤り訂正および誤り検出方法が使用されてもよい。
【００４４】
チャネル符号化機能は、例えば、畳み込み符号化またはリードソロモン符号化を使用できる。ブロック符号化、ターボ符号化またはＬＤＰＣなどの他のチャネル符号化方法も使用されてよい。
【００４５】
ＰＭＩは、いくつかのグループに分けることができ、ＰＭＩのグループを、異なるＴＴＩ(transmission time intervals)において送信することができる。ＰＭＩのグループを、単一のＴＴＩにおいて送信することができる。各グループを、チャネル符号化の後に報知することができる。これは、複数のＰＭＩの周波数選択性フィードバック・レポーティングと呼ばれる。ＣＱＩ、ランク、およびＡＣＫ／ＮＡＣＫ信号も、周波数選択性に基づいてフィードバックまたは報知することができる。
【００４６】
ＰＭＩ＿１  ４０２、ＰＭＩ＿２  ４０４、ＰＭＩ＿３  ４０６およびＥＣ（１）４０８を、例えば、ＴＴＩ（１）などの単一のＴＴＩにおいて報知することができる。ＰＭＩ＿４  ４１０、ＰＭＩ＿５  ４１２、ＰＭＩ＿６  ４１４およびＥＣ（２）４１６を、例えば、ＴＴＩ（２）などの２番目のＴＴＩにおいて報知することができる。ＰＭＩ＿Ｎ−２  ４１８、ＰＭＩ＿Ｎ−１  ４２０、ＰＭＩ＿Ｎ  ４２２およびＥＣ（Ｇ）４２４を、例えば、ＴＴＩ（Ｇ）などの別のＴＴＩにおいて報知することができる。
【００４７】
誤り検出または誤り検査機構が動作しない場合または誤り検出または誤り検査機能が除去された場合、ＥＣビットを結合することができない。その場合、ＰＭＩグループ１（ＰＭＩ＿１  ４０２、ＰＭＩ＿２  ４０４、ＰＭＩ＿３  ４０６）を、ＴＴＩ（１）において報知でき、ＰＭＩグループ２（ＰＭＩ＿４  ４１０、ＰＭＩ＿５  ４１２、ＰＭＩ＿６  ４１４）を、ＴＴＩ（２）において報知でき、ＰＭＩグループＧ（ＰＭＩ＿Ｎ−２  ４１８、ＰＭＩ＿Ｎ−１  ４２０、ＰＭＩ＿Ｎ  ４２２）を、ＴＴＩ（Ｇ）において報知することができる。報知（reporting）は、ＥＣビットの有無にかかわらず起きることがある。
【００４８】
図５は、代替的実施形態にかかる、誤り検査および誤り訂正を用いたＰＭＩフィードバックのブロック図である。誤り検査ビットＥＣ（１）５０８は、ＰＭＩ＿１  ５０２、ＰＭＩ＿２  ５０４およびＰＭＩ＿３  ５０６に使用される。誤り検査ビットＥＣ（２）５１６は、ＰＭＩ＿４  ５１０、ＰＭＩ＿５  ５１２およびＰＭＩ＿６  ５１４に使用され、誤り検査ビットＥＣ（Ｇ）５２８は、ＰＭＩ＿Ｎ−２  ５２２、ＰＭＩ＿Ｎ−１  ５２４およびＰＭＩ＿Ｎ  ５２６に使用される。ＰＭＩおよびＥＣビットは、送信する前にチャネル符号化機能５４０によって符号化される。
【００４９】
別の実施形態において、ＰＭＩは、グループに分けることができ、各グループが、関連付けられた誤り検出値および誤り検査値を有する。各グループのフィードバックシグナリングおよび誤り検査は、別々に符号化される。符号化されたフィードバックビットおよびＥＣビットを、同じＴＴＩまたは異なるＴＴＩにおいて送信することができる。各ＰＭＩグループは、それに関連付けられたＥＣを有し、個別に符号化される。
【００５０】
図６は、他の代替的実施形態にかかる、誤り検査および誤り訂正を用いたＰＭＩフィードバックのブロック図６００である。ＰＭＩは、誤り検出および／または誤り訂正のためにＧグループに分かれる。ＥＣ（１）６２０は、ＰＭＩ＿１  ６０２、ＰＭＩ＿２  ６０４およびＰＭＩ＿３  ６０６に結合され、ＥＣ（２）６２２は、ＰＭＩ＿４  ６０８、ＰＭＩ＿５  ６１０およびＰＭＩ＿６  ６１２に結合され、ＥＣ（Ｎ）６２４は、ＰＭＩ＿Ｎ−２  ６１４、ＰＭＩ＿Ｎ−１  ６１６およびＰＭＩ＿Ｎ  ６１８に結合される。ＰＭＩ＿１  ６０２、ＰＭＩ＿２  ６０４およびＰＭＩ＿３  ６０６およびＥＣ（１）６２０は、１番目のチャネル符号化機能６３０によって符号化される。ＰＭＩ＿４  ６１２、ＰＭＩ＿５  ６１４およびＰＭＩ＿６  ６１６は、ＥＣ（２）６２２とともに２番目のチャネル符号化機能６４０によって符号化される。ＰＭＩ＿Ｎ−２  ６１４、ＰＭＩ＿Ｎ−１  ６１６およびＰＭＩ＿Ｎ  ６１８は、ＥＣ（Ｇ）８２４とともにＧ番目のチャネル符号化機能６５０によって符号化される。誤り検査、誤り訂正、および誤り検出方法は、符号化を要求するビット数に基づいて選択できる。ＥＣは、例えば、２４ビット、２０ビットまたは１６ビットとすることができるＣＲＣを使用できる。ＥＣは、１６ビットより少ないビットを有する単一パリティビットまたはブロックのパリティチェックビットも使用できる。ＥＣは、例えば、進化したパリティチェックなどの誤り検査および誤り検出方法も使用できる。
【００５１】
チャネル符号化機能６３０、６４０、６５０は、例えば、畳み込み符号化またはリードソロモン符号化を使用できる。ブロック符号化、ターボ符号化またはＬＤＰＣなどの他の適切なチャネル符号化も使用されてよい。
【００５２】
ＥＣビットは、いくつかのグループに分けることができ、ＥＣビットの各グループを、同時または異なる時間にフィードバックまたは報知することができる。例えば、ＥＣの各グループを、同じＴＴＩまたは異なるＴＴＩにおいてフィードバックまたは報知することができる。各グループは、各グループのチャネル符号化を一緒にまたは別々に行った後報知される。
【００５３】
各ＰＭＩグループを、異なるＴＴＩにおいてまたは同じＴＴＩにおいて一緒に報知することができる。各グループは、グループのチャネル符号化を別々に行った後報知される。また、例えば、ＣＱＩ、ランク、およびＡＣＫ／ＮＡＣＫなどの他のフィードバックシグナリングを使用できる。
【００５４】
ＰＭＩ＿１  ６０２、ＰＭＩ＿２  ６０４、ＰＭＩ＿３  ６０６およびＥＣ（１）６２０を、ＴＴＩ（１）において報知することができる。ＰＭＩ＿４、ＰＭＩ＿５、ＰＭＩ＿６およびＥＣ（２）を、ＴＴＩ（２）において報知でき、ＰＭＩ＿Ｎ−２、ＰＭＩ＿Ｎ−１、ＰＭＩ＿ＮおよびＥＣ（Ｇ）を、例えばＴＴＩ（Ｇ）などのＴＴＩにおいて報知することができる。
【００５５】
誤り検出または誤り検査機構が動作しない場合または誤り検出または誤り検査機能が除去された場合、ＥＣビットを結合することができない。ＰＭＩグループは、次に、ＥＣビットを用いずに報知することができる。ＰＭＩグループ１（ＰＭＩ＿１  ４０２、ＰＭＩ＿２  ４０４、ＰＭＩ＿３  ４０６）を、ＴＴＩ（１）において報知でき、ＰＭＩグループ２（ＰＭＩ＿４  ４１０、ＰＭＩ＿５  ４１２、ＰＭＩ＿６  ４１４）を、ＴＴＩ（２）において報知でき、ＰＭＩグループＧ（ＰＭＩ＿Ｎ−２  ４１８、ＰＭＩ＿Ｎ−１  ４２０、ＰＭＩ＿Ｎ  ４２２）を、ＴＴＩ（Ｇ）において報知することができる。各報知グループは、別々のチャネル符号化を有することができる。
【００５６】
ＰＭＩグループの数がＰＭＩ（Ｇ＝Ｎ）の数に等しい場合、各ＰＭＩグループ当たり１つのＰＭＩが存在する。各ＰＭＩを、ＥＣ（例えば、ＣＲＣ）ビットに結合して、別々に符号化できる。各ＰＭＩを、異なる回数で報知することができる。ＰＭＩ＿１  ７０２、ＰＭＩ＿２  ７０４およびＰＭＩ＿Ｎ  ７０６を、異なるＴＴＩにおいて報知することができる。例えば、ＰＭＩ＿１  ７０２は、ＴＴＩ（１）において報知でき、ＰＭＩ＿２  ７０４は、ＴＴＩ（２）において報知でき、ＰＭＩ＿Ｎ  ７０６は、ＴＴＩ（Ｎ）において報知することができる。フィードバックまたは報知は、制御タイプのチャネル（例えば、ＰＵＣＣＨ(physical uplink control channel)）によって起きることがある。
【００５７】
あるいは、ＰＭＩ＿１  ７０４、ＰＭＩ＿２  ７０、ＰＭＩ＿Ｎ  ７０６を、同時に報知することができる。例えば、ＰＭＩ＿１  ７０４からＰＭＩ＿Ｎ  ７０６までを、単一のＴＴＩにおいて報知することができる。これは、データタイプのチャネル（例えば、ＰＵＳＣＨ）により多くのビットを処理する機能があるため、データタイプのチャネル（例えば、ＰＵＳＣＨ）によって起きることがある。例えば、ＣＱＩ、ランク、およびＡＣＫ／ＮＡＣＫなどの他のフィードバック信号は、ＰＭＩの有無にかかわらずに使用できる。
【００５８】
図７は、さらに別の実施形態にかかる、誤り検査および誤り訂正を用いたＰＭＩフィードバックのブロック図である。ＰＭＩは、Ｇ＝Ｎを用いて、誤り検査および誤り検出のＧグループに分けられる。ＰＭＩ＿１  ７０２は、誤り検査ビットＥＣ（１）７１２に結合され、ＰＭＩ＿２  ７０４は、ＥＣ（２）７１４に結合され、ＰＭＩ＿Ｎ  ７０６は、ＥＣ（Ｎ）７１６に結合される。各ＰＭＩ／ＥＣの組は、チャネル符号化機能７２０によって符号化される。適切な誤り検査、誤り訂正、および誤り検出のスキーマを使用することができ、符号化に要求されるビット数に基づくことができる。例えば、特定のＥＣは、例えば、２４ビットＣＲＣ、短いビット長のＣＲＣ、単一パリティビットまたはブロックのパリティチェックビットなどのＣＲＣを使用することができる。チャネル符号化は、例えば、リードソロモン符号化を使用することができる。長いビット長のＣＲＣまたは他のパリティチェックスキーマなど他の適切な誤り検査および誤り検出を使用することができる。ブロック符号化、畳み込み符号化、ターボ符号化またはＬＤＰＣなどの他の適切なチャネル符号化も使用することができる。
【００５９】
周波数選択性の報知を使用して、ＰＭＩ＿１  ７０２を、ＴＴＩ（１）において報知でき、ＰＭＩ＿２  ７０４を、ＴＴＩ（２）において報知でき、ＰＭＩ＿Ｎ  ７０６を、ＴＴＩ（Ｎ）において報知することができる。これらのＰＭＩを、制御タイプのチャネル（例えば、ＰＵＣＣＨ）によって報知することができる。あるいは、ＰＭＩ＿１からＰＭＩ＿Ｎまでを、データタイプのチャネル（例えば、ＰＵＳＣＨ）によって単一のＴＴＩにおいて報知することができる。例えば、ＣＱＩ、ランク、およびＡＣＫ／ＮＡＣＫなどの他のフィードバッックシグナリングを使用できる。
【００６０】
図８は、さらに別の代替的実施形態にかかる、誤り検査および誤り訂正を用いたＰＭＩフィードバックのブロック図である。ＥＣ（１）８１２は、ＰＭＩ＿１  ８０２に使用でき、ＥＣ（２）８１４は、ＰＭＩ＿２（８０４）に使用でき、ＥＣ（Ｎ）８１６は、ＰＭＩ＿Ｎ（８０６）に使用できる。ＰＭＩおよびＥＣは、チャンネル符号化機能８２０によって別々に、または一緒のいずれかで符号化される。
【００６１】
ＰＭＩ＿１  ８０２を、ＴＴＩ（１）において報知でき、ＰＭＩ＿２  ８０４を、ＴＴＩ（２）において報知でき、ＰＭＩ＿Ｎ  ８０６を、ＴＴＩ（Ｎ）において報知することができる。ＰＭＩ＿１  ８０２、ＰＭＩ＿２  ８０４およびＰＭＩ＿Ｎ  ８０６を、別々に符号化し、異なるまたは同じＴＴＩにおいて報知することができる。あるいは、ＰＭＩ＿１  ８０２、ＰＭＩ＿２  ８０４およびＰＭＩ＿Ｎ  ８０６を、一緒に符号化し、分割して、異なるＴＴＩにおいて報知することができる。さらに、ＰＭＩ＿１  ８０２、ＰＭＩ＿２  ８０４およびＰＭＩ＿Ｎ  ８０６を、一緒に符号化し、同じＴＴＩにおいて報知することができる。あるいは、ＰＭＩ＿１  ８０２、ＰＭＩ＿２  ８０４およびＰＭＩ＿Ｎ  ８０６を、異なる保護スキーマを用いて別々に符号化し、同じＴＴＩにおいて報知することができる。ＣＱＩ、ランク、およびＡＣＫ／ＮＡＣＫも使用できる。
【００６２】
図３から図８に、ＰＭＩに対する誤り検査、符号化、およびフィードバックを表示し、単一の種類のフィードバック信号を示す。ＣＱＩおよび他の種類のフィードバック信号は、ＰＭＩの代わりに使用することができる。
【００６３】
図９から図１２に、誤り検査、符号化、２以上の種類のフィードバック信号に対する送信およびフィードバックを表示する。図９から図１２は、以下に詳細に論ずる。
【００６４】
ＰＭＩフィードバックおよび他の種類の制御シグナリングを、同じまたは異なる誤り検査を用いて別々に誤り検査を行い、その後一緒に符号化することができる。例えば、ＰＭＩとすることができる１番目の種類のフィードバック信号を、２４ビットＣＲＣなどのＣＲＣとすることができる１番目のＥＣに結合することができる。ＣＱＩとすることができる２番目の種類のフィードバック信号を、同じＥＣに結合することができる。
【００６５】
別の例において、ＰＭＩとすることができる１番目の種類のフィードバック信号を、２４ビットＣＲＣなどのＣＲＣとすることができるＥＣに結合できる。２番目の種類のフィードバック信号を、２番目のＥＣに結合でき、１６ビットＣＲＣとすることができる。
【００６６】
一般的に、異なる誤り検査および／または誤り訂正は、異なる種類のフィードバック信号または同じ種類の異なるフィードバック信号に使用することができる。どの誤り検査および／または誤り訂正を使用すべきかの選択は、オーバーヘッドに対するロバスト性の設計上の判断に関わる。長いビット長のＣＲＣであれば、その分保護を強固にできるが、より多くのビットも生じる。従って、ある種類のフィードバック信号が、別の種類のフィードバック信号よりも重要な場合、強固な誤り検査および／または誤り訂正機能をより重要な種類のフィードバック信号に提供することができる。同じ種類のフィードバック信号に対しても同様に、あるフィードバック信号またはフィードバック信号のグループが、別のフィードバック信号またはフィードバック信号のグループよりも重要な場合、強固な誤り検査および／または誤り訂正機能をより重要なフィードバック信号またはフィードバック信号のグループに提供することができる。
【００６７】
上記に与えられた例示について再度説明するが、ＰＭＩとすることができる１番目のフィードバック信号が、ＣＱＩとすることができる２番目のフィードバック信号よりも重要な場合、高度な誤り検査および誤り検出機能を有する長いビット長のＣＲＣをＰＭＩに使用することができ、低い誤り検査および誤り検出機能を有する短いビット長のＣＲＣをＣＱＩに使用することができる。
【００６８】
異なる誤り検査および／または誤り訂正機能をフィードバック信号に適用することは、重要なフィードバック信号を保護し、リンク性能を最適化して、シグナリングオーバーヘッドを最小限にすることができる。
【００６９】
図９は、さらに別の代替的実施形態にかかる、誤り検査および誤り訂正を用いたＰＭＩフィードバックと、誤り検査および誤り訂正を用いたＣＱＩ(channel quality index)フィードバックとのブロック図９００である。１番目のＥＣ９３０（例えば、ＣＲＣ）は、ＰＭＩ＿１  ９０２、ＰＭＩ＿２  ９０４、ＰＭＩ＿３  ９０６からＰＭＩ＿Ｎ  ９０８まで結合される。２番目のＥＣ９４０（例えば、ＣＲＣ）は、ＣＱＩ＿１  ９１２からＣＱＩ＿Ｍ  ９１４まで結合される。ＰＭＩ信号９１０およびＣＱＩ信号９２０が結合されたＥＣは、チャネル符号化機能９５０において一緒に符号化されて、単一の送信信号を生成する。
【００７０】
図９において、１番目のＥＣ９３０および２番目のＥＣ９４０は、同じにすることができる。これは、等しい誤り検査および誤り防御を各フィードバック信号に与える。
【００７１】
あるいは、１番目のＥＣ９３０および２番目のＥＣ９４０は、異なるものにできる。ＣＱＩフィードバックよりもＰＭＩフィードバックがシステム性能にとって重要な場合、１番目のＥＣ９３０は、よりロバストにできる。例えば、１番目のＥＣは、２４ビットＣＲＣとすることができ、２番目のＥＣは、１６ビットＣＲＣとすることができる。
【００７２】
ＰＭＩフィードバック信号は、「広帯域」ＰＭＩ、「狭帯域」ＰＭＩ、「サブバンド」ＰＭＩ、および／または平均化されたＰＭＩで構成することができる。同様に、ＣＱＩフィードバック信号は、「広帯域」ＣＱＩ、「狭帯域」ＣＱＩ、「サブバンド」ＣＱＩ、および／または平均化されたＣＱＩで構成することができる。また、図３から図８に示した単一のフィードバックを含む実施形態と同様に、ＥＣビットおよびフィードバックビットを、単一のＴＴＩにおいて送信でき、または複数のＴＴＩに分割できる。さらに具体的には、データタイプのチャネルがＴＴＩ当たりより多数のビットを処理することができるので、データタイプのチャネル（例えば、ＰＵＳＣＨ）を使用して、単一のＴＴＩにおいてフィードバックビットおよびＥＣビットを送信できる。
【００７３】
また、フィードバックビットおよびＥＣビットに使用される符号化は、同じ重み付けを用いて同じにでき、または異なる重み付けを用いて異なるものにできる。多くの実現できる符号化、送信および誤り検査の組み合わせがあることを当業者は認知する。
【００７４】
図１０は、さらに他の実施形態にかかる、ＰＭＩおよびＣＱＩのフィードバックのブロック図１０００である。フィードバック信号を、誤り検査ビットと一緒に結合でき、誤り検査ビットと一緒に符号化できる。ＰＭＩ＿１  １００２からＰＭＩ＿１Ｎ  １００４までを含む信号は、ＣＱＩ＿１  １０１２からＣＱＩ＿１Ｍ  １０１４までを含む信号とともにＥＣ結合／挿入機能１０２０に入力される。信号は、ＥＣ機能１０２０によって処理され、単一の出力信号は、送信する前にチャネル符号化機能１０３０に入力される。
【００７５】
ランクおよびＡＣＫ／ＮＡＣＫを含む、ＣＱＩ以外の制御シグナリングも使用することができる。
【００７６】
図１１は、さらに別の実施形態にかかる、誤り検査および誤り訂正を用いたＰＭＩフィードバックと、誤り検査および誤り訂正を用いたＣＱＩフィードバックと、ＡＣＫ／ＮＡＣＫフィードバックとのブロック図１１００である。１番目のＥＣ１１１０は、ＰＭＩ＿１  １１０２からＰＭＩ＿Ｎ  １００４まで結合される。２番目のＥＣ１１２０は、ＣＱＩ＿１  １１１２からＣＱＩ＿Ｍ  １１１４まで結合される。ＰＭＩ信号１１０６およびＣＱＩ信号１１０６は、ＡＣＫ／ＮＡＣＫ信号１１３０を用いてチャネル符号化機能１１４０に入力される。
【００７７】
ＡＣＫ／ＮＡＣＫフィードバック信号１１３０は、図１２のランクフィードバック信号と置き換えることができる。あるいは、ランクフィードバック信号を、図１２に付加することができる。
【００７８】
図１２は、さらに別の実施形態にかかる、ＡＣＫ／ＮＡＣＫを用いたＰＭＩフィードバックおよびＣＱＩフィードバックのブロック図１２００である。ＣＱＩ、ＰＭＩおよびＡＣＫ／ＮＡＣＫを、一緒に符号化できるが、誤り検査を別々に行うことができない。ＰＭＩ＿１  １２０４からＰＭＩ＿Ｎ  １２０６までを含むＰＭＩ信号１２０２、ＣＱＩ＿１  １２１４からＣＱＩ＿Ｍ  １２１６までを含むＣＱＩ信号１２１２、およびＡＣＫ／ＮＡＣＫ信号１２２０は、ＥＣ結合／挿入機能１２３０に入力される。単一の信号出力は、チャネル符号化機能１２４０によって処理されて、送信される。１つのＥＣ（例えば、ＣＲＣ）は、符号化および送信の前に組み合わされた信号に結合される。
【００７９】
ＡＣＫ／ＮＡＣＫフィードバック信号１２２０は、図１２のランクフィードバック信号と置き換えることができる。あるいは、ランクフィードバック信号を、図１２に付加することができる。
【００８０】
ＰＭＩ、ＣＱＩおよびＡＣＫ／ＮＡＣＫ信号は、異なる誤り検査および／またはエラー防御を有することができる。例えば、ＰＭＩは、高度な誤り検査および／またはエラー防御を有することができるが、ＣＱＩは、低い誤り検査および／またはエラー防御を有することしかできない。ＰＭＩ、ＣＱＩおよびＡＣＫ／ＮＡＣＫは、異なる誤り検査および／または符号化スキーマを使用し、または同じ誤り検査および／または符号化スキーマを使用する一方で、異なる誤り検査および／またはエラー防御を有することができる。異なる重量をＰＭＩ、ＣＱＩおよびＡＣＫ／ＮＡＣＫ信号上で使用できる。異なる誤り検査および／またはエラー防御は、異なる誤り検査および／または符号化スキーマ、または同じ誤り検査および／または符号化スキーマを使用することによって実現できるが、等しくない誤り検査および／または符号化またはエラー防御スキーマを使用することによって、異なるフィードバックタイプの信号上の異なる重要な重み付けを用いて実現できる。これは、例えば、ランクなどの他のフィードバックシグナリングに適用できる。
【００８１】
同様に、ＰＭＩフィードバック信号は、「広帯域」ＰＭＩ、「狭帯域」ＰＭＩ、「サブバンド」ＰＭＩ、および／または平均化されたＰＭＩによって構成することができる。同様に、ＣＱＩフィードバック信号は、「広帯域」ＣＱＩ、「狭帯域」ＣＱＩ、「サブバンド」ＣＱＩ、および／または平均化されたＣＱＩで構成することができる。
【００８２】
（実施形態）
１．ＷＴＲＵ(wireless transmit receive unit)におけるフィードバックの方法であって、ＰＭＩ(precoding matrix index)を提供すること、前記ＰＭＩを誤り検査してＥＣ(error check)ビットを生成すること、前記ＰＭＩおよび前記ＥＣビットを符号化することと、および前記符号化されたＰＭＩおよびＥＣビットを送信することを備える方法。
２．複数のＰＭＩをＰＭＩグループにグループ化することをさらに備える実施形態１における方法。
３．前記複数のＰＭＩグループのそれぞれを誤り検査して、前記ＥＣビットを生成することをさらに備える実施形態１または２における方法。
４．前記複数のＰＭＩグループのそれぞれを誤り検査して、複数のＥＣビットを生成することであって、前記複数のＥＣビットの１つは、それぞれのＰＭＩグループに結合されること、前記結合されたＥＣビットを、対応するＰＭＩグループを用いて符号化することをさらに備える実施形態１または２にいずれかにおける方法。
５．前記複数のＰＭＩグループのそれぞれを誤り検査して、複数のＥＣビットを生成することであって、前記複数のＥＣビットの１つは、それぞれのＰＭＩグループに結合されること、前記ＰＭＩグループの符号化の後に前記ＥＣビットを符号化することをさらに備える実施形態２乃至４のいずれかにおける方法。
６．複数の符号化機能を提供することであって、前記複数の符号化機能のそれぞれが、前記複数のＰＭＩグループの１つと関連付けられること、および関連付けられた符号化機能を用いて、前記複数のＰＭＩグループおよび関連付けられたビットを符号化することをさらに備える実施形態４または５における方法。
７．ＰＭＩグループの数は、ＥＣビットの数に等しい実施形態３乃至６のいずれかにおける方法。
８．それぞれのＰＭＩグループの誤り検査を個別に行うこと、および前記ＥＣビットを用いて前記複数のＰＭＩグループを符号化することをさらに備える実施形態３乃至７のいずれかにおける方法。
９．それぞれのＰＭＩグループの誤り検査を個別に行うこと、および前記ＥＣビットとは別に前記複数のＰＭＩグループを符号化することをさらに備える実施形態３乃至８のいずれかにおける方法。
１０．制御インデックスを提供すること、前記制御インデックスを誤り検査して２番目のＥＣビットを生成すること、および前記ＰＭＩおよび前記ＥＣビットを、前記制御インデックスおよび前記２番目のＥＣビットを用いて符号化することをさらに備える実施形態１乃至９のいずれかにおける方法。
１１．誤り検出信号を提供すること、および前記ＰＭＩ、前記制御インデックス、前記ＥＣビット、および前記２番目のＥＣビットおよび前記誤り検出信号を符号化することをさらに備える実施形態１０における方法。
１２．前記誤り検出信号は、ＡＣＫ／ＮＡＣＫ(acknowledge/non-acknowledge)信号である実施形態１１における方法。
１３．ＷＴＲＵ(wireless transmit receive unit)におけるフィードバックの方法であって、ＰＭＩ(precoding matrix index)を提供すること、制御インデックスを提供すること、前記ＰＭＩおよび前記制御インデックスを誤り検査して、ＥＣ(error checking)ビットを生成すること、および前記ＰＭＩ、前記制御インデックスおよびＥＣビットを符号化することを備える方法。
１４．前記符号化されたＰＭＩ、制御インデックスおよびＥＣビットを基地局に送信することをさらに備える実施形態１３における方法。
１５．前記制御インデックスは、ＣＱＩ(channel quality index)である実施形態１３または１４における方法。
１６．ＰＭＩ(precoding matrix index)を判定し、前記（ＰＭＩ）を誤り検査してＥＣ(error check)ビットを生成し、および前記ＰＭＩおよび前記ＥＣを符号化するように構成されたプロセッサと、符号化された前記ＰＭＩおよび前記ＥＣを送信するように構成された送信器とを備えるＷＴＲＵ(wireless transmit receive unit)。
１７．前記プロセッサは、複数のＰＭＩをＰＭＩグループにグループ化するようにさらに構成される実施形態１６におけるＷＴＲＵ。
１８．前記プロセッサは、前記複数のＰＭＩグループのそれぞれを誤り検査して、前記ＥＣビットを生成するようにさらに構成される実施形態１７におけるＷＴＲＵ。
１９．前記プロセッサは、前記複数のＰＭＩグループのそれぞれを誤り検査して、複数のＥＣビットを生成することであって、前記複数のＥＣビットの１つは、それぞれのＰＭＩグループに結合され、および前記結合されたＥＣビットを前記対応するＰＭＩグループを用いて符号化するように構成される実施形態１７または１８におけるＷＴＲＵ。
２０．前記プロセッサは、前記複数のＰＭＩグループのそれぞれを誤り検査して、複数のＥＣビットを生成することであって、前記複数のＥＣビットの１つは、それぞれのＰＭＩグループに結合され、および前記ＰＭＩグループを符号化した後に前記ＥＣビットを符号化するように構成される実施形態１７乃至１９のいずれかにおけるＷＴＲＵ。
２１．前記プロセッサは、複数の符号化機能を判定することであって、前記複数の符号化機能のそれぞれは、前記複数のＰＭＩグループの１つと関連付けられ、および前記複数のＰＭＩグループおよび関連付けられたＥＣビットのそれぞれを、関連付けられた符号化機能を用いて符号化するように構成される実施形態２０または２１におけるＷＴＲＵ。
２２．ＰＭＩグループの数は、ＥＣビットの数に等しい実施形態１９乃至２１のいずれかにおけるＷＴＲＵ。
２３．前記プロセッサは、それぞれのＰＭＩグループの誤り検査を個別に行い、および前記ＥＣビットを用いて前記複数のＰＭＩグループを符号化するようにさらに構成される実施形態１９乃至２２のいずれかにおけるＷＴＲＵ。
２４．前記プロセッサは、それぞれのＰＭＩグループの誤り検査を個別に行い、および前記ＥＣビットとは別に前記複数のＰＭＩグループを符号化するようにさらに構成される実施形態１９乃至２３のいずれかにおけるＷＴＲＵ。
２５．前記プロセッサは、制御インデックスを判定し、前記制御インデックスを誤り検査して２番目のＥＣビットを生成し、および前記制御インデックスおよび前記２番目のＥＣビットを用いて前記ＰＭＩおよび前記ＥＣビットを符号化するようにさらに構成される実施形態１６乃至２３のいずれかにおけるＷＴＲＵ。
２６．前記プロセッサは、誤り検出信号を判定し、および前記ＰＭＩ、前記制御インデックス、前記ＥＣビット、前記２番目のＥＣビットおよび前記誤り検出信号を符号化するようにさらに構成される実施形態２５におけるＷＴＲＵ。
２７．前記誤り検出信号は、ＡＣＫ／ＮＡＣＫ(acknowledge/non-acknowledge)信号である実施形態２５または２６におけるＷＴＲＵ。
２８．ＷＴＲＵ(wireless transmit receive unit)におけるフィードバックの方法であって、前記フィードバックビットを誤り検査するフィードバックビットを提供して、ＥＣ(error check)ビットを生成すること、前記フィードバックビットおよび前記ＥＣビットを符号化すること、および前記符号化されたフィードバックビットおよびＥＣビットを送信することを備える方法。
２９．複数のフィードバックビットをフィードバックグループにグループ化することをさらに備える実施形態２８における方法。
３０．前記複数のフィードバックグループのそれぞれを誤り検査して、前記ＥＣビットを生成することをさらに備える実施形態２８または２９における方法。
３１．前記フィードバックビットは、ＰＭＩ(precoding matrix index)を備える実施形態２８乃至３０のいずれかにおける方法。
３２．前記フィードバックビットは、ＣＱＩ(channel quality index)を備える実施形態２８乃至３１のいずれかにおける方法。
３３．前記フィードバックビットは、ランクを備える実施形態２８乃至３２のいずれかにおける方法。
３４．前記フィードバックビットは、ＡＣＫ／ＮＡＣＫ(acknowledge/non-acknowledge)を備える実施形態２８乃至３３のいずれかにおける方法。
３５．前記ＥＣビットは、ＣＲＣ(cyclic redundancy check)を備える実施形態２８乃至３４のいずれかにおける方法。
３６．前記フィードバックビットを用いて前記ＥＣビットを符号化することをさらに備える実施形態２８乃至３５のいずれかにおける方法。
３７．前記ＥＣビットとは別に前記ＥＣビットを符号化することをさらに備える実施形態２８乃至３６のいずれかにおける方法。
３８．前記フィードバックビットおよび前記ＥＣビットを単一のＴＴＩ(transmission time interval)において送信することをさらに備える実施形態２８乃至３７のいずれかにおける方法。
３９．前記フィードバックビットおよび前記ＥＣビットを別々のＴＴＩにおいて送信することをさらに備える実施形態２８乃至３８のいずれかにおける方法。
４０．前記フィードバックビットおよび前記ＥＣビットの一部を単一のＴＴＩにおいて送信することをさらに備える実施形態２８乃至３９のいずれかにおける方法。
４１．前記複数のフィードバックグループのそれぞれを誤り検査して、複数のＥＣビットを生成することであって、前記複数のＥＣビットの１つは、それぞれのフィードバックグループに結合され、および前記フィードバックグループの符号化の後に前記ＥＣビットを符号化することをさらに備える実施形態２９乃至４０のいずれかにおける方法。
４２．複数の符号化機能を提供することであって、前記複数の符号化機能のそれぞれは、前記複数のフィードバックグループの１つと関連付けられ、および関連付けられた符号化機能を用いて前記複数のフィードバックグループおよび関連付けられたＥＣのそれぞれを符号化することをさらに備える実施形態４１における方法。
【００８３】
特徴および要素は、特定の組み合わせにおいて上記に説明されるが、それぞれの特徴または要素は、他の特徴および要素を用いずに単独で用いる、または他の特徴および要素の有無にかかわらずさまざまな組み合わせにおいて使用することができる。本明細書に与えられる方法またはフロー図は、汎用コンピュータまたは汎用プロセッサによって実行されるコンピュータ読み取り可能記憶媒体に構成されるコンピュータプログラム、ソフトウェア、またはファームウェアに実装できる。コンピュータ読み取り可能記憶媒体の例は、ＲＯＭ(read only memory)、ＲＡＭ(random access memory)、レジスタ、キャッシュメモリ、半導体メモリ装置、内部ハードディスクおよび取り外し可能ディスクなどの磁気媒体、磁気光媒体、およびＣＤ−ＲＯＭディスクおよびＤＶＤ(digital versatile disks)などの光媒体を含む。
【００８４】
適用するプロセッサは、一例において、汎用プロセッサ、専用プロセッサ、標準プロセッサ、ＤＳＰ(digital signal processor)、複数のマイクロプロセッサ、ＤＳＰコア内蔵の１または複数のマイクロプロセッサ、コントローラ、マイクロコントローラ、ＡＳＩＣ(Application Specific Integrated Circuits)、ＦＰＧＡ(Field Programmable Gate Arrays)回路、任意の他の種類のＩＣ(integrated circuit)、および／またはステートマシンを含む。
【００８５】
ソフトウェアと関連するプロセッサを使用して、ＷＴＲＵ(transmit receive unit)、ＵＥ(user equipment)、端末、基地局、ＲＮＣ(radio network controller)、または任意のホストコンピュータに使用するための無線周波数トランシーバを実装できる。ＷＴＲＵは、カメラ、ビデオカメラモジュール、ビデオフォン、スピーカフォン、振動装置、スピーカ、マイクロフォン、テレビ受信器、ハンズフリーヘッドセット、キーボード、ブルートゥース（登録商標）モジュール、ＦＭ(frequency modulated)無線装置、ＬＣＤ(liquid crystal display)ディスプレイ装置、ＯＬＥＤ(organic light-emitting diode)ディスプレイ装置、デジタル音楽プレーヤ、メディアプレーヤ、ビデオゲームプレーヤ、インターネットブラウザ、および／または任意のＷＬＡＮ(wireless local area network)またはＵＷＢ(Ultra Wide Band)モジュールなどのハードウェアおよび／またはソフトウェアに実装されるモジュールとともに使用できる。
【図１】
0005513663.tif 000003
【図２】
0005513663.tif 000004
【図３】
0005513663.tif 000005
【図４】
0005513663.tif 000006
【図５】
0005513663.tif 000007
【図６】
0005513663.tif 000008
【図７】
0005513663.tif 000009
【図８】
0005513663.tif 000010
【図９】
0005513663.tif 000011
【図１０】
0005513663.tif 000012
【図１１】
0005513663.tif 000013
【図１２】
0005513663.tif 000014